(57)【要約】      （修正有）【課題】ブレーキ状態にあっても、キャスターホルダーが自由に旋回でき、部品を損壊しないスーツケースのブレーキ機能付きキャスターセット構造を提供する。【解決手段】取付部１１とキャスター組合部１２を備える位置決め台１０が備わり、キャスター組合部１２の軸受孔へ挿嵌する固定用軸栓及びキャスター２５を有するキャスターホルダーが備えられる。連動バー３０が固定用軸栓に差込まれ、上部はキャスター組合部１２の上へ突き出し、そこにフレキシブルリセットユニット４０が備えられる。また、スーツケースと接続し、位置決め台１０まで伸びる引き網５０が備えられ、引き網５０が嵌め込まれる凹溝を有する引き網がイドフレーム８０が備えられる。【選択図】図１
0003175875.tif 000002
【実用新案登録請求の範囲】
【請求項１】
スーツケース０１のケース体０２底部の隅部に設けられている該スーツケースキャスターセットＡであり、該スーツケースキャスターセットＡは、
取付部１１とキャスター組合部１２を備えてなる位置決め台１０が備わり、該取付部１１は、スーツケース０１のケース体０２底部の隅部に組立、位置決められており、該キャスター組合部１２には、軸受孔１２１が設けられており、
上部側２１と旋回側２２を備えてなる方向回転可能なキャスターホルダー２０が備わり、該上部側２１は、位置決め台１０のキャスター組合部１２の近くに設けられ、該上部側２１の中央には、キャスター組合部１２の軸受孔１２１へ挿嵌するために、突出して伸びた固定用軸栓２３が設けられ、それにより、該旋回側２２は固定用軸栓２３を軸として、旋回して方向を変えるようになるが、該固定用軸栓２３の中央には更に、通し穴２４が設けられており、
該方向回転可能なキャスターホルダー２０の旋回側２２に設けられ、回転しながら転がることになるキャスター２５を有し、
上向きの内凹み形態で、該方向回転可能なキャスターホルダー２０の旋回側２２と上部側２１の間に設けられる作動空間２６、  
該作動空間２６内の片側に設けられ、縦向きになる限位壁２７が設けられ、
該固定用軸栓２３にある通し穴２４に縦向きで差込まれ、上下に作動する連動バー３０が備わり、該連動バー３０の上部は、上向きに位置決め台１０にあるキャスター組合部１２の上へ突き出し、連動バー３０の底部は、下向きに該作動空間２６内伸びたように設けられており、
該作動空間２６内に設けられ、連動バー３０の底部と連結している突当てブロック３１が備わり、突当てブロック３１の片側には、キャスター２５周辺と間隔を開けて対応したブレーキ面３２が設けられ、突当てブロック３１の他方側には、スライドして作動空間２６の片側にある限位壁２７に貼り付けられるための貼付面３３が設けられており、
該連動バー３０に対応したところに設けられたフレキシブルリセットユニット４０が備わり、それにより、該連動バー３０に上昇リセット機能を持たせるようにし、
引かれ側５１と引き側５２を備えてなる引き綱５０が備わり、該引かれ側５１は、スーツケース０１のケース体０２にプリセットされた制御装置０３と接続し、該引き側５２は、位置決め台１０のところまで伸びているが、
該連動バー３０の上部と引き綱５０の末端の間に設けられた方向変更用駆動モジュール６０が備わり、該方向変更用駆動モジュール６０は、引き綱５０の引っ張り力を、連動バー３０を押さえるための下押し力に変えるように設けられており、
該突当てブロック３１と連動バー３０底部の間に設けられた旋回可能な接続部７０が備わり、該旋回可能な接続部７０の設置により、突当てブロック３１が連動バー３０に応じて自由に旋回できることになるが、
それにより、該突当てブロック３１はキャスター２５に接触、キャスター２５を押さえたようなブレーキを掛けたときにも、突当てブロック３１が連動バー３０を旋回支点として自由に旋回することになり、ブレーキ状態にあっても、方向回転可能なキャスターホルダー２０が自由に旋回できると同時に、連動バー３０と方向変更用駆動モジュール６０を損壊しないように設けられていることを特徴とするスーツケースのブレーキ機能付きキャスターセット構造。
【請求項２】
該方向変更用駆動モジュール６０は、相互に垂直方向に配置された横向き滑台６１と縦向き作動ブロック６２を備えてなり、該横向き滑台６１は、仕切り部にそれぞれ嵌込部６１１と第一斜面６１２が設けられ、該嵌込部６１１は、引き綱５０の末端が嵌込み、固定されるのに供し、該縦向き作動ブロック６２の対向した両側にはそれぞれ、第二斜面６２２と凸柱６２１が設けられており、該第二斜面６２２は、横向き滑台の第一斜面６１２と相互に接触しあい、該凸柱６２１は、連動バー３０の上部に突き当てるように設けられていることを特徴とする請求項１に記載のスーツケースのブレーキ機能付きキャスターセット構造。
【請求項３】
該位置決め台１０の取付部１１の上には更に、引き綱ガイドフレーム８０が設けられて、該引き綱ガイドフレーム８０は、カーブ形延伸部８１と貼付部８２を備えてなり、該カーブ形延伸部８１は、スーツケース０１のケース体０２側に向けて曲がったように設けられ、該貼付部８２は、スーツケース０１のケース体０２側にぴったりと貼り付けるように設けられており、また、該カーブ形延伸部８１と貼付部８２の上には、引き綱５０が嵌め込み、固定されるための凹溝８３が設けられていることを特徴とする請求項１に記載のスーツケースのブレーキ機能付きキャスターセット構造。
【請求項４】
該旋回可能な接続部７０は、ブレーキ面３２付きの突当てブロック３１にある逆Ｔ型凹槽７１、及び該連動バー３０の底部にある逆Ｔ型柱頭７２を備えてなるものであることを特徴とする請求項１に記載のスーツケースのブレーキ機能付きキャスターセット構造。
【請求項５】
該突当てブロック３１のブレーキ面３２には更に、間隔をあけて配置された凹縁部３４または凸縁部３５が設けられていることを特徴とする請求項１または４に記載のスーツケースのブレーキ機能付きキャスターセット構造。
【考案の詳細な説明】
【技術分野】
【０００１】
本考案は、スーツケースキャスターセット構造に関わり、特にブレーキ機能付きのオリジナルなスーツケースキャスターセット構造形態に関する。
【背景技術】
【０００２】
スーツケースは構造設計上、使用者がスーツケースを手にふれてないときに生じる滑りながら動くことを避けるために、業界でスーツケースのキャスター（または脚輪）の滑止めを制御できる構造形態が開発されてきているが、関連技術は、本考案の発明者が以前開発した特許、台湾特許番号Ｍ４０８２７２“キャスター滑止機能付きスーツケース構造”という特許を参照してもよいが、一般的に従来の案に掲示されたスーツケース構造は、押しボタンスイッチ、方向変更用駆動モジュール、縄とブレーキユニットなどを備えてなる構造により、キャスターにブレーキをかけ、またはそれを解放することを制御できる構造となっている。
【０００３】
しかし、従来のブレーキ機能付きスーツケースキャスター構造は実際に応用されているとき、以下のような問題点が存在している。
【０００４】
従来のスーツケースキャスターは多く、自由に旋回できるように設けられており、キャスターのブレーキユニットは通常、位置決め台の中央部を通るように設けられているが、そこで、スーツケースにブレーキをかけたとき、ブレーキユニットの各ユニットの間、及びブレーキユニットとキャスターの間はどれも、一連に強く引かれ、突き当て、摩擦しているになるため、もともと自由に旋回できるキャスターが、そのとき、影響を受けて引っ掛けられ、旋回しにくくなるが、それに対して、そのとき、使用者自身または他の人がスーツケースにぶつかったりすると、キャスターを強引に旋回させるようになり、そうなると、ブレーキユニットにダメージを与える恐れがあるという欠点があり、それを改善する必要がある。
【０００５】
それに鑑みて、発明者は関連製品の製造開発と設計に携わる長年の経験を持っており、上述した目標について詳しく設計、慎重に評価したうえ、ようやく実用性のある本考案を得られたのである。
【考案の概要】
【考案が解決しようとする課題】
【０００６】
本考案の目的は、スーツケースのブレーキ機能付きキャスターセット構造改良を提供することであり、解決しようとする課題は、より理想的で、実用性のある新しいスーツケースキャスターセット構造を開発することである。
【課題を解決するための手段】
【０００７】
スーツケースのケース体の底部の隅部に設けられている該スーツケースキャスターセットであって、本考案の課題を解決する技術特徴として、取付部とキャスター組合部を備えてなる位置決め台が備えられ、該キャスター組合部には、軸受孔が設けられており、上部側と旋回側を備えてなる方向回転可能なキャスターホルダーが設けられ、該上部側は、位置決め台のキャスター組合部の近くに設けられ、上部側の中央には、軸受孔へ挿嵌するための固定用軸栓が設けられ、それにより、旋回側が旋回して方向を変えるようになり、方向回転可能なキャスターホルダーの旋回側に設けられたキャスター、方向回転可能なキャスターホルダーの旋回側と上部側の間に凹設された作動空間、作動空間内の片側に設けられた限位壁、該固定用軸栓にある通し穴に差込まれ、上下に作動可能な連動バーが設けられ、連動バーの上部は、上向きに位置決め台にあるキャスター組合部の上へ突き出し、連動バーの底部は、下向きに該作動空間内に伸びたように設けられており、該作動空間内に設けられ、連動バーの底部と連結している突当てブロックが備えられ、突当てブロックの片側には、キャスター周辺と間隔を開けて対応したブレーキ面が設けられ、突当てブロックの他方側には、スライドして限位壁に貼り付けられるための貼付面が設けられており、連動バーに対応したところに設けられたフレキシブルリセットユニットが備えられ、それにより、連動バーに上昇リセット機能を持たせるようにし、スーツケースにある制御装置と接続している引かれ側、位置決め台の所まで伸びている引き側を備えてなる引き綱が設けられ、連動バーの上部と引き綱の末端の間に設けられた方向変更用駆動モジュールが備えられ、それにより、引き綱の引っ張り力を、連動バーを押さえるための下押し力に変えるようにされており、突当てブロックと連動バーの底部との間に設けられた旋回可能な接続部が備えられ、それにより、突当てブロックが連動バーに応じて自由に旋回できるようにした該スーツケースキャスターセットである。この設計により、本考案は背景技術に比べて、突当てブロックは、キャスターに接触、それを押さえたようなブレーキを掛けたときにも、突当てブロックが連動バーを旋回支点として自由に旋回することになり、それに、ブレーキ状態にあっても、方向回転可能なキャスターホルダーが自由に旋回できると同時に、連動バーと方向変更用駆動モジュールなどの関連部品を損壊しないという実用性、進歩性がある。
【０００８】
本考案のもう一つの技術特徴として、該突当てブロックの他方側には、スライドして限位壁に貼り付けられるための貼付面が設けられており、突当てブロックがキャスターを押さえ、ブレーキ状態になったとき、突当てブロック側が安定して位置決められる支持力を有し、  更にブレーキ力と安定性が向上することである。
【０００９】
本考案の更にもう一つの技術特徴として、該位置決め台の取付部の上には更に、カーブ形延伸部と貼付部を備えてなる引き綱ガイドフレームが設けられているが、それにより、引き綱をスーツケースケース体側に貼り付けさせるように導く位置に制限があり、引き綱のかかるスペースを削減するという長所があることである。
【考案の効果】
【００１０】
本考案による効果向上の事実は次の通り。  
本考案に掲示された“スーツケースのブレーキ機能付きキャスターセット構造”にあっては、該突当てブロックと連動バーの底部との間に更に旋回可能な接続部が設けられているというオリジナルな構造により、本考案は［背景技術］に述べられた従来の技術に比べて、該突当てブロックがキャスターに接触、それを押さえたようなブレーキを掛けたときにも、突当てブロックが連動バーを軸として自由に旋回すると同時に、ブレーキ状態にあっても、方向回転可能なキャスターホルダーが自由に旋回できることになり、それに、連動バーと方向変更用駆動モジュールなどの関連部品を損壊しないという実用性、進歩性がある。
【００１１】
本考案による新しい効果は次の通り。
１．該突当てブロックの他方側にはスライドして、限位壁に貼り付けられるための貼付面が設けられているという技術特徴により、突当てブロックがキャスターを押さえたようなブレーキを掛けたときに、突当てブロック側が安定して位置決められる支持力を有し、更にブレーキ力と安定性が向上すること。
【００１２】
２．該位置決め台の取付部の上には更に、カーブ形延伸部と貼付部を備えてなる引き綱ガイドフレームが設けられているという技術特徴により、引き綱をスーツケースケース体側に貼り付けさせるように導くという位置に制限があり、引き綱のかかるスペースを削減するという長所があること。
【００１３】
上述した実施例に掲示したのは、本考案を具体的に説明するために用いられる内容であり、文の中で専門用語で説明してきたが、それを以って本考案の特許請求範囲を制限してはならず、当該技術分野の分かる者が本考案のコンセプトや考えに基づき、その変化や改造などを行って、それと同等な効果を得たとしても、すべて本考案の特許請求範囲に含まれるものとする。
【図面の簡単な説明】
【００１４】
【図１】本考案のスーツケースキャスターセットの分解立体図。
【図２】本考案の旋回可能な接続部と連動バー、突当てブロックの分解立体図。
【図３】本考案の方向変更用駆動モジュールの分解立体図。
【図４】本考案の組合断面図。
【図５】方向変更用駆動モジュールの設置より、本考案の引き綱が引っ張り力を連動バーを押さえるための下押し力に変えるという作動図。
【図６】本考案の突当てブロックがキャスターに接触、それを押さえるようにブレーキを掛けたときにも、突当てブロックが連動バーを旋回支点として自由に旋回できるという作動図。
【図７】本考案のスーツケースキャスターセットがスーツケースのケース体の底部の隅部に設けられている実施例図。
【図８】本考案の位置決め台の取付部の上に更に引き綱ガイドフレームが配置されている実施例図。
【考案を実施するための形態】
【００１５】
図１〜図８は、本考案のスーツケースのブレーキ機能付きキャスターセット構造の好適な実施例であり、それらの実施例は説明のみに用られ、特許請求の際、これらの構造に制限されないものとする。図７に示すように、スーツケース０１のケース体０２底部の隅部に設けられている該スーツケースキャスターセットＡであり、該スーツケースキャスターセットＡは、
取付部１１とキャスター組合部１２を備えてなる位置決め台１０が備わり、該取付部１１は、スーツケース０１のケース体０２底部の隅部に組立、位置決められており（図７）、該キャスター組合部１２には、軸受孔１２１が設けられている（図４、図５）。
【００１６】
図４に示すように、上部側２１と旋回側２２を備えてなる方向回転可能なキャスターホルダー２０が備わり、位置決め台１０のキャスター組合部１２の近くに設けられ、該上部側２１の中央には、キャスター組合部１２の軸受孔１２１へ挿嵌するために、突出して伸びた固定用軸栓２３が設けられ、それにより、該旋回側２２は固定用軸栓２３を軸として、旋回して方向を変えるようになる。該固定用軸栓２３の中央には更に、通し穴２４が設けられている。
【００１７】
該方向回転可能なキャスターホルダー２０の旋回側２２に設けられ、回転しながら転がることになるキャスター２５があり、
図４、図５に示すように、上向きの内凹み形態で、該方向回転可能なキャスターホルダー２０の旋回側２２と上部側２１の間に設けられる作動空間２６、
該作動空間２６内の片側に設けられ、縦向きになる限位壁２７（図４、図５）が設けられ、
また該固定用軸栓２３にある通し穴２４に縦向きで差込まれ、上下に作動する連動バー３０が備えられ、該連動バー３０の上部は、上向きに位置決め台１０にあるキャスター組合部１２の上へ突き出し、連動バー３０の底部は、下向きに該作動空間２６内に伸びたように設けられている。
【００１８】
図４、図５に示すように、該作動空間２６内に設けられ、連動バー３０の底部と連結している突当てブロック３１が設けられ、突当てブロック３１の片側には、キャスター２５周辺と間隔を開けて対応したブレーキ面３２が設けられ、突当てブロック３１の他方側には、スライドして作動空間２６の片側にある限位壁２７に貼り付けられるための貼付面３３が設けられており、それにより、突当てブロック３１がキャスター２５を押さえ、ブレーキ状態になったとき、突当てブロック３１側が安定して位置決めされる支持力を有し、更にブレーキ力と安定性が向上するが、該突当てブロック３１のブレーキ面３２には、ブレーキ効果を高めるために、間隔を開けて配置された凹縁部３４または凸縁部３５が設けられる（図２、図６）。
【００１９】
該連動バー３０に対応したところに設けられたフレキシブルリセットユニット４０が設けられ、それにより、該連動バー３０に上昇リセット機能を持たせるようにしている。
【００２０】
引かれ側５１と引き側５２を備えてなる引き綱５０が設けられ、該引かれ側５１は、スーツケース０１のケース体０２にプリセットされた制御装置０３（図７だけに表示）と接続し、該引き側５２は、位置決め台１０のところまで伸びている。
【００２１】
該連動バー３０の上部と引き綱５０の末端の間に設けられた方向変更用駆動モジュール６０が備えられ、該方向変更用駆動モジュール６０は、引き綱５０の引っ張り力を、連動バー３０を押さえるための下押し力に変えるように設けられている。
【００２２】
該突当てブロック３１と連動バー３０底部の間に設けられた旋回可能な接続部７０が備わり、該旋回可能な接続部７０の設置により、突当てブロック３１が連動バー３０に応じて自由に旋回できることになるが、該旋回可能な接続部７０は、該突当てブロック３１にある逆Ｔ型凹槽７１、及び該連動バー３０底部にある逆Ｔ型柱頭７２を備えてなるものである。
【００２３】
図３〜図５に示すように、該方向変更用駆動モジュール６０は、相互に垂直方向に配置された横向き滑台６１と縦向き作動ブロック６２を備えてなり、該横向き滑台６１は、仕切り部にそれぞれ嵌込部６１１と第一斜面６１２が設けられ、該嵌込部６１１は、引き綱５０の末端が嵌込み、固定されるのに供し、該縦向き作動ブロック６２の対向した両側にはそれぞれ、第二斜面６２２と凸柱６２１が設けられており、該第二斜面６２２は、横向き滑台の第一斜面６１２と相互に接触しあい、該凸柱６２１は、連動バー３０の上部に突き当たるように設けられている。
【００２４】
図８に示すように、該位置決め台１０の取付部１１の上には、引き綱ガイドフレーム８０が設けられるが、該引き綱ガイドフレーム８０は、スーツケース０１のケース体０２側に向けて曲がったように設けられ、該貼付部８２は、スーツケース０１のケース体０２側にぴったりと貼り付けるように設けられており、また、該カーブ形延伸部８１と貼付部８２の上には、引き綱５０を嵌め込み、固定されるための凹溝８３が設けられているが、それにより、引き綱をスーツケースケース体側に貼り付けさせるように導くという位置の制限があり、引き綱のかかるスペースが削減され、品物収納可能なスペースが増える。
【００２５】
上述した構造、組合せ設計により、本考案の使用、作動情況について次のように説明する。
【００２６】
図５に示すように、該引き綱５０を引き動かすと（Ｌ１）、引っ張り力が生じることで、方向変更用駆動モジュール６０の横向き滑台６１が移動する（Ｌ２）ことになり、そして、横向き滑台６１の第一斜面６１２が縦向き作動ブロック６２の第二斜面６２２を押し付けることにより、下押し力が生じて、連動バー３０に突き当てて、下へ移動させる（Ｌ３）ようにするが、それにより、該突当てブロック３１のブレーキ面３２がキャスター２５に接触、それを押さえるようになり、ブレーキを掛けることになる。
【００２７】
図６に示すように、突当てブロック３１と連動バー３０の底部の間に設けられた旋回可能な接続部７０を備えるという技術（図２）により、該突当てブロック３１はキャスター２５に接触、それを押さえるようなブレーキを掛けたとき（図５）にも、突当てブロック３１が連動バー３０を旋回支点として自由に旋回できると同時に、ブレーキ状態にあっても、方向回転可能なキャスターホルダー２０が自由に旋回できることになり（図６に示すように、該方向回転可能なキャスターホルダー２０の旋回に伴い、突当てブロック３１が旋回するようになるが、該連動バー３０はそれに伴わずに旋回しない）、従って、連動バー３０と方向変更用駆動モジュール６０などの関連部品を損壊しない（図５に示すように、該連動バー３０が旋回しないため、連動バー３０の上方にある方向変更用駆動モジュール６０またはその他の関連部品に影響しない）。
【符号の説明】
【００２８】
スーツケースキャスターセット      Ａ
スーツケース            ０１
ケース体              ０２
制御装置          ０３
位置決め台            １０
取付部            １１
キャスター組合部        １２
軸受孔            １２１
方向回転可能なキャスターホルダー        ２０
上部側              ２１
旋回側            ２２
固定用軸栓          ２３
通し穴            ２４
キャスター              ２５
作動空間          ２６
限位壁            ２７
連動バー            ３０
突当てブロック            ３１
ブレーキ面            ３２
貼付面            ３３
凹縁部            ３４
凸縁部            ３５
フレキシブルリセットユニット        ４０
引き綱              ５０
引かれ側            ５１
引き側            ５２
方向変更用駆動モジュール      ６０
横向き滑台          ６１
嵌込部            ６１１
第一斜面          ６１２
縦向き作動ブロック        ６２
凸柱              ６２１
第二斜面          ６２２
旋回可能な接続部      ７０
逆Ｔ型凹槽        ７１
逆Ｔ型柱頭        ７２
引き綱ガイドフレーム      ８０
カーブ形延伸部      ８１
貼付部          ８２
凹溝              ８３
【図１】
0003175875.tif 000003
【図２】
0003175875.tif 000004
【図３】
0003175875.tif 000005
【図４】
0003175875.tif 000006
【図５】
0003175875.tif 000007
【図６】
0003175875.tif 000008
【図７】
0003175875.tif 000009
【図８】
0003175875.tif 000010